(57)【要約】【課題】電子キー若しくはリモートキーの側面及び頭頂部に側面カバー部と頭頂部カバー部とからなるキーラップを密着させてキーの保護及び装飾性に優れたキーラップを提供する。【解決手段】キーの頭部の両側端面に装着できるように側面の形状に沿って湾曲した側面カバー部と、キーの頭部の頭頂部に装着するように頭頂部の形状に沿って湾曲した頭頂部カバー部と、カバー部を電子キーに接合する係止部または接着部とからなる構造である。また、前記側面カバー部には前記頭頂部カバー部と係合するための係合突起若しくは係合凹部が形成され、さらに、前記頭頂部カバー部には前記側面カバー部の係合突起または係合凹部の形状に対応した係合凹部若しくは係合突起が形成されている構造でもある。【選択図】  図１
0003132398.tif 000002
【実用新案登録請求の範囲】
【請求項１】
自動車の電子キーを被覆保護する装飾キーラップにおいて、キーの頭部の両側端面に装着できるように側面の形状に沿って湾曲した側面カバー部と、キーの頭部の頭頂部に装着するように頭頂部の形状に沿って湾曲した頭頂部カバー部と、カバー部を電子キーに接合する係止部または接着部とからなることを特徴とするキーラップ。
【請求項２】
前記側面カバー部には前記頭頂部カバー部と係合するための係合突起若しくは係合凹部が形成され、さらに、前記頭頂部カバー部には前記側面カバー部の係合突起または係合凹部の形状に対応した係合凹部若しくは係合突起が形成されていることを特徴とする請求項１記載のキーラップ
【請求項３】
前記頭頂部カバー部は、紐やキーホルダーを着脱自在に装着できるようにキーに設けられた孔およびフックが露出するように、切欠が形成されていることを特徴とする請求項１記載のキーラップ
【請求項４】
前記側面カバー部と頭頂部カバー部は、内側面に貼着用の粘着剤が塗布された接着部が装着されていることを特徴とする請求項１記載のキーラップ
【考案の詳細な説明】
【技術分野】
【０００１】
本考案は、自動車のキーに装着するキーラップに関し、特に自動車の電子キーを落下等の衝撃を緩和しつつ、装飾性の高いキーラップに関する。
【背景技術】
【０００２】
自動車のキーとしてセキュリティを強化した電子キーやリモートキーが開発されている。キーの中にＩＤコードを埋め込み、車に設けられたエンジン始動用のキーの挿入口若しくは感知部に近付けることによりエンジンを始動させることができる構成となっている。従来のキーは、鍵山等が形成されたキーを自動車に設けられるキー挿入口に入れて始動する構造であるため、比較的壊れにくいという利点があった。しかし、電子キーやリモートキーは、内部に電子回路やチップを埋め込んでいるため、不注意で落としてしまった場合に破損する虞があった。また、内部に電子回路やチップを包含するような外装にしなければならないため、基本的に樹脂製の外装を呈することが多く、落下の衝撃により樹脂製の外装に傷がついてしまうことがあった。
自動車を購入した際に渡される純正キーは、装飾性が乏しいものが多く、自ら加工するか、キーラップを用いて装飾を施すしかなかった。
【０００３】
従来から販売されているキーラップは、キーの頭部を全体的に覆う形のものが多く、リモートキーのキー解除ボタン等を覆い隠してしまうものが多かった。
また、純正キーの大部分の外装を覆い隠してしまうため、純正キーに刻印されているメーカーのロゴを隠してしまうことがあった。
そこで、外装の所定部分だけを覆うことにより、キーを保護するだけでなく装飾性に優れたキーラップの開発が望まれていた。
【特許文献１】特開２００４−３０８１４９号
【考案の開示】
【考案が解決しようとする課題】
【０００４】
本考案は、電子キー若しくはリモートキーの側面及び頭頂部に側面カバー部と頭頂部カバー部とからなるキーラップを密着させてキーの保護及び装飾性に優れたキーラップを提供することを目的としている。
【課題を解決するための手段】
【０００５】
上記の目的を達成するために本考案に係るキーラップは、自動車の電子キーを被覆保護する装飾キーラップにおいて、キーの頭部の両側端面に装着できるように側面の形状に沿って湾曲した側面カバー部と、キーの頭部の頭頂部に装着するように頭頂部の形状に沿って湾曲した頭頂部カバー部と、カバー部を電子キーに接合する係止部または接着部とからなる構造である。また、前記側面カバー部には前記頭頂部カバー部と係合するための係合突起若しくは係合凹部が形成され、さらに、前記頭頂部カバー部には前記側面カバー部の係合突起または係合凹部の形状に対応した係合凹部若しくは係合突起が形成されている構造でもある。また、前記頭頂部カバー部は、紐やキーホルダーを着脱自在に装着できるようにキーに設けられた孔およびフックが露出するように、切欠が形成されている構造でもある。さらに、前記側面カバー部と頭頂部カバー部は、内側面に貼着用の粘着剤が塗布された接着部が装着されている構造でもある。
【考案の効果】
【０００６】
以上、説明したように本考案にかかるキーラップによれば、
１．自動車の電子キーの側面に密着して保護することができるため、落下等の衝撃からキーを保護することができる。
２．互いに係合する突起及び凹部により、確実にキーの頭部に密着させることが可能である。
３．頭頂部カバー部に切欠を形成したことにより、キーに形成されている孔等を露出させ、紐やキーホルダーを通すことが可能となる。
４．キーに対して粘着剤を用いて接着する構造としているため、簡単に着脱することが可能である。
【考案を実施するための最良の形態】
【０００７】
以下に、本考案に係るキーラップを図面に示す実施例により説明する。図１は本考案のキーラップを装着したキーの正面図であり、図２は本考案のキーラップの分解図である。図３は接着部を装備したキーラップの斜視図である。
【０００８】
本考案のキーラップ１０は、側面カバー部２０と、頭頂部カバー部３０と、係止部４０と、接着部５０とからなる。
側面カバー部２０は、キー１の頭部の側面を覆うように、キー１の頭部の側面形状に合わせて湾曲するように形成されている。この実施例では、側面を２箇所覆うため、側面カバー部２０は２つ装備されている。また、左右対称に形成されていないキーの場合は、それぞれの形状を個別に変形して形成する必要がある。
【０００９】
頭頂部カバー部３０は、キーの頭頂部をカバーする部材であり、キーの両側面に密着する側面カバー部２０と一体的となっているような外観とするために、側面カバー部２０の端部２２と、頭頂部カバー部３０の端部３２が滑らかに接続するように加工されている。
【００１０】
この実施例では、それぞれの部材は粘着剤によりキーに直接密着している構造である。それぞれの部材は独立した部材となっているが、側面カバー部２０及び頭頂部カバー部３０にそれぞれ凹凸となるように係合突起及び係合凹部を形成して、確実に連結する構造としてもよい。
【００１１】
また、キーにキーラップを装着しても重さが極端に変わらないように、この実施例ではキーラップを全て樹脂製素材で形成しており、表面に金属に似せて光沢のある加工をしている。そのため、キーに装着してもキーの外観を損ねず、さらに豪華な外観とすることが可能となる。それぞれの部材を統一の光沢を持つ色で統一する必要はなく、ユーザの好みにより色々な色を使い分けることも可能である。
また、重量感を増して高級感を高めるために金属製の素材を用いることも考えられる。
【００１２】
係合部４０は、側面カバー部２０及び頭頂部カバー部３０に設けられる係合突起若しくは係合凹部である。この実施例では、側面カバー部２０に係合突起４２が設けられ、頭頂部カバー部３０の両端に係合凹部４４が設けられている構造である。また、両側面に配置された側面カバー部２０同士を係合させるために、係合部材を用いて確実に係合接着させる構成とすることもできる。
【００１３】
さらに、頭頂部カバー部３０に切欠を設けて、キーに形成されているキーホルダーや紐を通す穴を露出できるようにしている。切欠の形状は、保護するキーによって形状を変えることできる。
【００１４】
接着部５０は、側面カバー部２０及び頭頂部カバー部３０のキーに接着する粘着テープであり、面に粘着性のテープ若しくは粘着剤を塗布したものである。この実施例では、キーラップ１０を接着部５０の粘着力によってキーに装着することができる。
また、側面カバー部２０と頭頂部カバー部３０を一体とした形状とし、キーを嵌めて装着させる嵌め込み式とすることも可能である。また、キーに嵌合できる箇所が形成されている場合、キーラップに突起を設けて嵌合装着する構成とすることもできる。さらに、キーを覆うキーラップの側面を若干狭めることにより、キーに嵌入させて嵌合装着する構造とすることも可能である。
【図面の簡単な説明】
【００１５】
【図１】キーラップを装着したキーの正面図
【図２】キーラップの分解図
【図３】接着部を装備したキーラップの斜視図
【符号の説明】
【００１６】
１      キー
１０    キーラップ
２０    側面カバー部
３０    頭頂部カバー部
４０    係合部
５０    接着部
【図１】
0003132398.tif 000003
【図２】
0003132398.tif 000004
【図３】
0003132398.tif 000005